(57)【要約】【課題】ユーザのストーリの内容理解を損なうことなく、個々のユーザに応じて柔軟に、かつ必要最低限の部分だけに視聴制限を課すことができるデジタルバーサタイルディスク再生装置および記録媒体再生装置を提供する。【解決手段】視聴制限ブロック設定部１１１は、ユーザ操作により、データの再生単位であるセルの単位で視聴制限ブロックを設定する。視聴制限設定部１１２は、ユーザ操作により、視聴制限ブロックに対して、視聴制限するユーザと制限を課した再生方法とを設定し、視聴制限ブロックと視聴制限するユーザと制限された再生方法を表す視聴制限情報を作成し、視聴制限情報記憶部１１７に記憶する。再生制御部１１４は、視聴制限情報記憶部１１７から、ユーザ判別部１１０によって判別されたユーザに設定されている視聴制限情報を読み出して、読み出した視聴制限情報に基づいて、デコード部１０５を指示して、視聴制限を課した再生制御を行なう。【選択図】　　　　図１
2004032612.tif 000002
【特許請求の範囲】
【請求項１】
映像および音声データで構成される１または複数のタイトルが記録されたデジタルバーサタイルディスクを再生するデジタルバーサタイルディスク再生装置であって、
ユーザ操作より、映像および音声データの再生単位であるセルを少なくとも１つ含む視聴制限ブロックを設定し、前記視聴制限ブロックにおいて視聴制限を課すユーザを設定し、前記ユーザに対して、映像データのみを視聴制限するか、音声データのみを視聴制限するか、映像データと音声データの両方を視聴制限するかのいずれかの視聴制限内容を設定する視聴制限設定手段と、
前記設定された視聴制限ブロックと視聴制限を課すユーザと視聴制限内容とを対応させた視聴制限情報を記憶する視聴制限情報記憶手段と、
ユーザ操作により、前記視聴制限情報記憶手段に記憶されている視聴制限情報を消去する視聴制限解除手段と、
視聴可能なユーザに対応させて、当該ユーザの識別情報を記録したユーザ登録情報を記憶するユーザ登録情報記憶手段と、
ユーザが、識別情報を入力する入力手段と、
前記ユーザ登録情報と前記入力された識別情報に基づいて、前記入力したユーザを判別するユーザ判別手段と、
前記視聴制限情報記憶手段を参照して、前記判別されたユーザに設定されている視聴制限ブロックについて、前記設定されている視聴制限内容に基づく視聴制限を課して、映像データまたは音声データを再生する再生制御手段とを備え、
前記再生制御手段は、識別情報が入力されない場合または入力したユーザが前記ユーザ登録情報に登録されていない場合には、前記ユーザ登録情報記憶手段に登録されているすべてのユーザに設定されているすべての視聴制限を適用し、
前記視聴制限解除手段は、ユーザ操作により、１のユーザに対して１のタイトルの視聴制限解除の指定がなされた場合に、当該ユーザに対する当該タイトルに属するすべての視聴制限ブロックに設定されている視聴制限情報を消去する、デジタルバーサタイルディスク再生装置。
【請求項２】
記録媒体に記録されたデータを再生する記録媒体再生装置であって、
ユーザ操作により、データの再生単位であるセルを少なくとも１つ含む視聴制限ブロックを設定する視聴制限設定手段と、
前記設定された視聴制限ブロックを特定する視聴制限情報を記憶する視聴制限情報記憶手段と、
前記視聴制限情報に基づいて、視聴制限を課してデータを再生する再生制御手段とを備えた記録媒体再生装置。
【請求項３】
前記視聴制限設定手段は、さらに、ユーザ操作により、前記視聴制限ブロックにおいて、視聴制限を課すユーザを設定し、
前記視聴制限情報記憶手段は、視聴制限ブロックと視聴制限を課すユーザとを対応させた視聴制限情報を記憶し、
前記記録媒体再生装置は、
視聴可能なユーザに対応させて、当該ユーザの識別情報を記録したユーザ登録情報を記憶するユーザ登録情報記憶手段と、
ユーザが、識別情報を入力する入力手段と、
前記ユーザ登録情報と前記入力された識別情報とに基づいて、前記入力したユーザを判別するユーザ判別手段とをさらに備え、
前記再生制御手段は、前記判別されたユーザに設定されている前記視聴制限情報に基づいて、視聴制限を課してデータを再生する、請求項２記載の記録媒体再生装置。
【請求項４】
前記データは、映像データおよび音声データからなり、
前記視聴制限設定手段は、さらに、ユーザ操作により、映像データのみを視聴制限するか、音声データのみを視聴制限するか、映像データと音声データの両方を視聴制限するかのいずれかの視聴制限内容を設定し、
前記視聴制限情報記憶手段は、視聴制限ブロックと視聴制限を課すユーザと視聴制限内容とを対応させた視聴制限情報を記憶し、
前記再生制御手段は、前記視聴制限情報における視聴制限内容に基づいて、視聴制限を課して、映像データまたは音声データを再生する、請求項３記載の記録媒体再生装置。
【請求項５】
前記再生制御手段は、識別情報が入力されない場合または入力したユーザが前記ユーザ登録情報に登録されていない場合には、前記ユーザ登録情報記憶手段に登録されているすべてのユーザに設定されているすべての視聴制限を適用する、請求項３または４記載の記録媒体再生装置。
【請求項６】
前記データは、前記セルが連続して構成される１または複数のタイトルからなり、
前記記録媒体再生装置は、
ユーザ操作により、前記視聴制限情報記憶手段に記憶されている視聴制限情報を消去する視聴制限解除手段を備え、
前記視聴制限解除手段は、ユーザ操作により、１のユーザに対して１のタイトルの視聴制限解除の指定がなされた場合に、当該ユーザに対する当該タイトルに属するすべての視聴制限ブロックに設定されている視聴制限情報を消去する、請求項２ないし５のいずれかに記載の記録媒体再生装置。
【発明の詳細な説明】
【０００１】
【発明の属する技術分野】
本発明は、デジタルバーサタイルディスク（以下、ＤＶＤ）再生装置および記録媒体再生装置に関し、特に、視聴制限可能なデジタルバーサタイルディスク再生装置および記録媒体再生装置に関する。
【０００２】
【従来の技術】
近年、映像や音声などのデータを記録したＤＶＤを再生するＤＶＤ再生装置が開発され、実用に供されている。
【０００３】
ところで、映画などでは、暴力シーンやわいせつなシーンなど、教育上、不適切なシーンが含まれているが、ＤＶＤ再生装置では、このようなシーンを再生禁止領域として視聴ができなくするようなパレンタル機能を備えたものがある。
【０００４】
パレンタル機能を備えたＤＶＤ再生装置のなかには、たとえば、特開平１１−１５０７０７号公報に記載されているように、ユーザごとに視聴制限を行っているものがある。この文献では、ユーザとタイトルにレベルを設定して、ユーザのレベルがタイトルのレベル以上の場合に、そのユーザにそのタイトルの視聴を許し、ユーザのレベルがタイトルのレベル未満の場合には、そのユーザにそのタイトルの視聴制限を行っている。
【０００５】
また、たとえば、特開平８−２３５７５８号公報に記載されているものでは、視聴制限時に、再生禁止領域をスキップするのではなく、代わりに、副映像を再生したり、再生禁止領域の直前の画像を表示している。
【０００６】
以上のように、従来のパレンタル機能を備えたＤＶＤ再生装置では、ユーザのレベルに応じて不適切なシーンを含むタイトルの視聴を制限することができ、また、視聴制限時に、副映像や再生禁止領域の直前の画像を視聴することができる。
【０００７】
【発明が解決しようとする課題】
しかしながら、上述のような従来のパレンタル機能を備えたＤＶＤ再生装置では、以下のような３つの問題がある。
【０００８】
第１に、タイトル（プログラム）またはチャプターなどの単位で視聴制限がなされている。そのため、視聴制限したいシーンがほんの数秒の場合でも、そのシーンを含むタイトル（プログラム）またはチャプターがすべて視聴制限され、必要以上の視聴制限がなされている。
【０００９】
第２に、視聴制限時の再生方法は、再生禁止領域をスキップするだけか、代わりに直前の静止画を表示するか、副映像を再生するかのいずれかである。たとえ、第１の問題を解決するために、視聴制限できる単位を小さくできたとしても、視聴制限時の再生方法が従来のままでは、ユーザは、ストーリの内容を十分に理解できないおそれがある。
【００１０】
第３に、ユーザに設定されたレベルとタイトルに設定されたレベルとを比較して、視聴制限がなされている。そのため、タイトルやユーザを１つの評価基準でレベルづけしなければならず、このレベルは、通常、子供向けやアダルト対象といった年齢に対応するものとなる。年齢といった１つの評価基準で視聴制限をするのではなく、個々のユーザに応じて、柔軟に視聴制限がなされることが望ましい。
【００１１】
そこで、本発明は、ユーザのストーリの内容理解を損なうことなく、個々のユーザに応じて柔軟に、かつ必要最低限の部分だけに視聴制限を課すことができるＤＶＤ再生装置および記録媒体再生装置を提供することを目的とする。
【００１２】
【課題を解決するための手段】
上記課題を解決するために、この発明に係わるデジタルバーサタイルディスク再生装置は、映像および音声データで構成される１または複数のタイトルが記録されたデジタルバーサタイルディスクを再生するデジタルバーサタイルディスク再生装置であって、ユーザ操作により、映像および音声データの再生単位であるセルを少なくとも１つ含む視聴制限ブロックを設定し、前記視聴制限ブロックにおいて視聴制限を課すユーザを設定し、前記ユーザに対して、映像データのみを視聴制限するか、音声データのみを視聴制限するか、映像データと音声データの両方を視聴制限するかのいずれかの視聴制限内容を設定する視聴制限設定手段と、前記設定された視聴制限ブロックと視聴制限を課すユーザと視聴制限内容とを対応させた視聴制限情報を記憶する視聴制限情報記憶手段と、ユーザ操作により、前記視聴制限情報記憶手段に記憶されている視聴制限情報を消去する視聴制限解除手段と、視聴可能なユーザに対応させて、当該ユーザの識別情報を記録したユーザ登録情報を記憶するユーザ登録情報記憶手段と、ユーザが、識別情報を入力する入力手段と、前記ユーザ登録情報と前記入力された識別情報に基づいて、前記入力したユーザを判別するユーザ判別手段と、前記視聴制限情報記憶手段を参照して、前記判別されたユーザに設定されている視聴制限ブロックについて、前記設定されている視聴制限内容に基づく視聴制限を課して、映像データまたは音声データを再生する再生制御手段とを備え、前記再生制御手段は、識別情報が入力されない場合または入力したユーザが前記ユーザ登録情報に登録されていない場合には、前記ユーザ登録情報記憶手段に登録されているすべてのユーザに設定されているすべての視聴制限を適用し、前記視聴制限解除手段は、ユーザ操作により、１のユーザに対して１のタイトルの視聴制限解除の指定がなされた場合に、当該ユーザに対する当該タイトルに属するすべての視聴制限ブロックに設定されている視聴制限情報を消去する。
【００１３】
また、この発明に係わる記録媒体再生装置は、記録媒体に記録されたデータを再生する記録媒体再生装置であって、ユーザ操作により、データの再生単位であるセルを少なくとも１つ含む視聴制限ブロックを設定する視聴制限設定手段と、前記設定された視聴制限ブロックを特定する視聴制限情報を記憶する視聴制限情報記憶手段と、前記視聴制限情報に基づいて、視聴制限を課してデータを再生する再生制御手段とを備える。
【００１４】
好ましくは、前記視聴制限設定手段は、さらに、ユーザ操作により、前記視聴制限ブロックにおいて、視聴制限を課すユーザを設定し、前記視聴制限情報記憶手段は、視聴制限ブロックと視聴制限を課すユーザとを対応させた視聴制限情報を記憶し、前記記録媒体再生装置は、視聴可能なユーザに対応させて、当該ユーザの識別情報を記録したユーザ登録情報を記憶するユーザ登録情報記憶手段と、ユーザが、識別情報を入力する入力手段と、前記ユーザ登録情報と前記入力された識別情報とに基づいて、前記入力したユーザを判別するユーザ判別手段とをさらに備え、前記再生制御手段は、前記判別されたユーザに設定されている前記視聴制限情報に基づいて、視聴制限を課してデータを再生する。
【００１５】
好ましくは、前記データは、映像データおよび音声データからなり、前記視聴制限設定手段は、さらに、ユーザ操作により、映像データのみを視聴制限するか、音声データのみを視聴制限するか、映像データと音声データの両方を視聴制限するかのいずれかの視聴制限内容を設定し、前記視聴制限情報記憶手段は、視聴制限ブロックと視聴制限を課すユーザと視聴制限内容とを対応させた視聴制限情報を記憶し、前記再生制御手段は、前記視聴制限情報における視聴制限内容に基づいて、視聴制限を課して、映像データまたは音声データを再生する。
【００１６】
好ましくは、前記再生制御手段は、識別情報が入力されない場合または入力したユーザが前記ユーザ登録情報に登録されていない場合には、前記ユーザ登録情報記憶手段に登録されているすべてのユーザに設定されているすべての視聴制限を適用する
好ましくは、前記データは、前記セルが連続して構成される１または複数のタイトルからなり、前記記録媒体再生装置は、ユーザ操作により、前記視聴制限情報記憶手段に記憶されている視聴制限情報を消去する視聴制限解除手段を備え、前記視聴制限解除手段は、ユーザ操作により、１のユーザに対して１のタイトルの視聴制限解除の指定がなされた場合に、当該ユーザに対する当該タイトルに属するすべての視聴制限ブロックに設定されている視聴制限情報を消去する。
【００１７】
【発明の実施の形態】
以下、本発明の実施の形態について、図面を用いて説明する。
【００１８】
（構成）
図１は、本実施の形態に係わるＤＶＤ再生装置の構成を示す機能ブロック図である。同図に示すように、ＤＶＤ再生装置１００は、入力部１０１と、制御部１０２と、記憶部１０３と、表示部１０４と、デコード部１０５と、ディスクドライブ１０６と、ＤＶＤ１０７とから構成される。
【００１９】
入力部１０１は、たとえば、リモコンなどで構成され、ユーザからのパスワード入力、視聴制限ブロックの設定指示、視聴制限設定指示、視聴制限解除指示および再生指示を受け付ける。
【００２０】
ＤＶＤ１０７は、映像データ、音声データ、副映像データを記憶する。図２は、ＤＶＤのナビゲーションデータフォーマットを示す。同図において、Ｃｅｌｌは、データの再生単位であり、０．４〜１秒のデータからなる。１個のＰＧＣ（Ｐｒｏｇｒａｍ　Ｃｈａｉｎ）内での再生順にセル番号が定義されている。
【００２１】
Ｃｅｌｌは、１個以上のＶＯＢＵ（Ｖｉｄｅｏ　Ｏｂｊｅｃｔ　Ｕｎｉｔ）で構成される。１個のＶＯＢＵは、ＧＯＰ（Ｇｒｏｕｐ　Ｏｆ　Ｐｉｃｔｕｒｅ）整数個分の映像データ、音声データ、副映像データがパック化されて、時分割で挿入されている。
【００２２】
また、１以上の連続するＣｅｌｌをまとめたものが、１つのＰＧ（Ｐｒｏｇｒａｍ）となる。ＰＧは、ランダム、シャッフル再生の単位となる。１以上の連続するＰＧをまとめたものが、１つのＰＴＴ（Ｐａｒｔ　ｏｆ　Ｔｉｔｌｅ）となる。ＰＴＴは、チャプターに相当する。１以上の連続するＰＴＴをまとめたものが、１つのＰＧＣとなる。単純なシングルストーリの映画などでは、１タイトルが１つのＰＧＣとなる。
【００２３】
ディスクドライブ１０６は、ＤＶＤ１０７を駆動する。
表示部１０４は、たとえば、テレビで構成され、メニュー画面、映像データ、音声データ、副映像データなどが出力されて表示される。
【００２４】
記憶部１０３は、たとえば、ハードディスクで構成され、パスワード情報記憶部１１５と、視聴制限ブロック記憶部１１６と、視聴制限情報記憶部１１７とを含む。
【００２５】
パスワード情報記憶部１１５は、ユーザごとのパスワードを記憶する。本実施の形態では、ユーザ＜Ａ＞〜ユーザ＜Ｄ＞のパスワードが登録されているものとする。ユーザ＜Ａ＞は、ＤＶＤ再生装置１００の管理者とし、このユーザ＜Ａ＞だけが、視聴制限設定と視聴解除設定が行なえるものとする。また、複数人で視聴する場合には、架空のユーザ＜Ｅ＞が視聴するものとする。ユーザ＜Ｅ＞には、ユーザ＜Ａ＞〜＜Ｄ＞に設定されているすべての視聴制限を課すものとする。
【００２６】
視聴制限ブロック記憶部１１６は、視聴制限ブロック設定部１１１によって設定された視聴制限ブロックを特定する情報を記憶する。図３は、視聴制限ブロックを特定する情報の例を示す。同図に示すように、視聴制限ブロックを特定する情報は、ブロック番号と、ブロックの開始点のＰＧＣおよびＣｅｌｌ番号と、ブロックの終了点のＰＧＣおよびＣｅｌｌ番号とからなる。
【００２７】
視聴制限情報記憶部１１７は、視聴制限設定部１１２で設定された視聴制限情報を記憶する。図４（ａ）は、視聴制限情報の例を示す。同図に示すように、視聴制限情報は、ＤＶＤの媒体番号と、ブロック番号と、ブロックの開始点のＰＧＣおよびＣｅｌｌ番号と、ブロックの終了点のＰＧＣおよびＣｅｌｌ番号と、ユーザを特定するユーザＩＤと、制限を課した再生方法を特定する再生方法ＩＤとからなる。図４（ｂ）は、再生方法ＩＤに対する再生方法を示す。同図において、音声ミュートとは、音声の再生を中止することを意味し、静止画表示とは、映像再生の代わりに視聴制限ブロックの直前の画像（ピクチャ）を表示することを意味し、副映像再生とは、映像再生の代わりに副映像（サブピクチャ）を表示することを意味し、副映像再生＆音声ミュートとは、副映像再生と音声ミュートとを同時に行なうことを意味し、静止画表示＆音声ミュートとは、静止画表示と音声ミュートとを同時に行なうことを意味する。
【００２８】
制御部１０２は、たとえば、搭載されたプログラムを実行するＣＰＵで構成され、ユーザ判定部１１０と、視聴制限ブロック設定部１１１と、視聴制限設定部１１２と、視聴制限解除部１１３と、再生制御部１１４とを含む。
【００２９】
ユーザ判定部１１０は、パスワード情報記憶部１１５内のパスワードを参照して、入力部１０１より入力されたパスワードから、視聴するユーザがユーザ＜Ａ＞〜＜Ｄ＞のいずれであるかを判別する。ユーザ判別部１１０は、入力されたパスワードがパスワード情報記憶部１１５に登録されたものでない場合や、パスワードが入力されない場合（複数人で視聴する場合）には、視聴するユーザをユーザ＜Ｅ＞として扱う。
【００３０】
視聴制限ブロック設定部１１１は、入力部１０１に視聴制限ブロックの開始の指示が入力されると、指示が入力された時点の再生フレームのＰＧＣとＣｅｌｌ番号とを視聴制限開始ブロックの開始点として視聴制限ブロック記憶部１１６に記憶し、入力部１０１に視聴制限ブロックの終了の指示が入力されると、指示が入力された時点の再生フレームのＰＧＣとＣｅｌｌ番号とを視聴制限開始ブロックの終了点として視聴制限ブロック記憶部１１６に記憶する。
【００３１】
視聴制限設定部１１２は、視聴制限ブロックについて、視聴制限するユーザと制限を課した再生方法とが入力部１０１に入力されると、ＤＶＤの媒体番号と、ブロック番号と、ブロックの開始点のＰＧＣおよびＣｅｌｌ番号と、ブロックの終了点のＰＧＣおよびＣｅｌｌ番号と、ユーザを特定するユーザＩＤと、制限を課した再生方法を特定する再生方法ＩＤとからなる視聴制限情報を作成し、視聴制限情報記憶部１１７に記憶する。
【００３２】
また、視聴制限設定部１１２は、ユーザによる視聴制限設定の終了後に、ユーザ＜Ａ＞〜＜Ｄ＞に課されているすべての視聴制限を組合わせてユーザ＜Ｅ＞に対する視聴制限情報を作成し、視聴制限情報記憶部１１７に記憶する。ここで、視聴制限の組み合わせとは、ユーザ＜Ａ＞〜＜Ｄ＞に課されているすべての視聴制限を加えるものとする。ただし、静止画表示と副映像再生とを組合わせた場合には、より制限の強い静止画表示となるものとする。
【００３３】
視聴制限解除部１１３は、タイトル単位の視聴制限解除が選択され、視聴制限を解除するタイトルとユーザとのセットを選択する指示があると、選択されたタイトルに属するすべてのブロックについて、選択されたユーザに課されている視聴制限が解除されるように視聴制限情報を修正する。また、視聴制限解除部１１３は、ブロック単位の視聴制限解除が選択され、視聴制限を解除するブロックとユーザとのセットを選択する指示があると、選択されたブロックについて、選択されたユーザに課されている視聴制限が解除されるように視聴制限情報を修正する。
【００３４】
さらに、視聴制限解除部１１３は、ユーザ＜Ａ＞〜＜Ｄ＞について修正された新たな視聴制限情報に基づき、ユーザ＜Ｅ＞についての視聴制限情報を修正する。
【００３５】
再生制御部１１４は、ユーザ判別部１１０で判別されたユーザに対応する視聴制限情報を視聴制限情報記憶部１１７から読み出し、読み出した視聴制限情報に基づき、以下のようにＤＶＤ１０７の再生を制御する。
【００３６】
再生制御部１１４は、視聴制限ブロック以外では、デコード部１０５に通常の再生を行なわせる。つまり、再生制御部１１４は、映像デコード部１１８に映像データをデコードさせ、音声デコード部１１９に音声データをデコードさせる。
【００３７】
再生制御部１１４は、再生フレームが視聴制限ブロックの開始点に達したら、その視聴制限ブロックに設定されている制限を課した再生方法に応じた再生を行なわせる。すなわち、再生制御部１１４は、再生方法が音声ミュートの場合には、音声デコード部１１９に音声データのデコードを中止させる。また、再生制御部１１４は、再生方法が副映像表示の場合には、映像デコード部１１８に映像データのデコードを中止させ、副映像デコード部１２０に、副映像データをデコードさせる。また、再生制御部１１４は、再生方法が静止画表示の場合には、映像デコード部１１８に映像データのデコードを中止させる。
【００３８】
再生制御部１１４は、再生フレームが視聴制限ブロックの終了点に達したら、デコード部１０５に通常の再生を行なわせ、再生区間の終了点に達した場合や、再生中止の指示が入力された場合には、再生を終了させる。
【００３９】
デコード部１０５は、映像デコード部１１８と、音声デコード部１１９と、副映像デコード部１２０とで構成される。映像デコード部１１８は、再生制御部１１４からの指示で、映像データをデコードし、デコードされた映像データを再生制御部１１４に送る。音声デコード部１１９は、再生制御部１１４からの指示で、音声データをデコードし、デコードされた音声データを再生制御部１１４に送る。副映像デコード部１２０は、再生制御部１１４からの指示で、副映像データをデコードし、デコードされた副映像データを再生制御部１１４に送る。
【００４０】
（動作）
次に、本実施の形態に係わるＤＶＤ再生装置の動作を説明する。図５は、ＤＶＤ再生装置の動作手順を示すフロチャートである。
【００４１】
まず、ユーザが、入力部１０１よりパスワードを入力すると、ユーザ判別部１１０が、パスワード情報記憶部１１５内のパスワード情報を参照して、入力されたパスワードが登録されているものか否かを判定し、登録されている場合には、そのユーザがユーザ＜Ａ＞〜＜Ｄ＞のいずれであるかを判別する（ステップＳ５０１〜Ｓ５０３）。
【００４２】
ユーザ判別部１１０が、パスワードが入力されない場合、または入力されたパスワードが登録されていない場合には、そのユーザを＜Ｅ＞として扱う（ステップＳ５０１、Ｓ５０２、Ｓ５０４）。
【００４３】
ユーザが＜Ａ＞の場合には、ユーザ＜Ａ＞は、入力部１０１に、視聴制限設定指示、視聴制限解除指示、再生指示のいずれかを入力し、指示された処理が行なわれる（ステップＳ５０５〜Ｓ５１１）
一方、ユーザが＜Ｂ＞〜＜Ｅ＞の場合には、ユーザ＜Ｂ＞〜＜Ｅ＞は、入力部１０１に、再生指示を入力し、再生処理が行なわれる（ステップＳ５１０、Ｓ５１１）。
【００４４】
次に、視聴制限設定処理、視聴制限解除処理、および再生処理の手順を説明する。
【００４５】
（視聴制限設定処理の動作）
図６は、視聴制限設定処理の動作手順を示すフロチャートである。
【００４６】
まず、ユーザ＜Ａ＞が入力部１０１に再生指示を入力すると、再生制御部１１４は、通常の再生を行なう（ステップＳ２０１）。
【００４７】
通常の再生中に、ユーザ＜Ａ＞が入力部１０１に視聴制限ブロックの開始の指示を入力すると、視聴制限ブロック設定部１１１が、指示が入力された時点の再生フレームのＰＧＣとＣｅｌｌ番号とを視聴制限開始ブロックの開始点として視聴制限ブロック記憶部１１６に記憶する（ステップＳ２０２）。
【００４８】
さらに、通常の再生が続行され、通常の再生中に、ユーザ＜Ａ＞が入力部１０１に視聴制限ブロックの終了の指示を入力すると、視聴制限ブロック設定部１１１が、指示が入力された時点の再生フレームのＰＧＣとＣｅｌｌ番号とを視聴制限開始ブロックの終了点として視聴制限ブロック記憶部１１６に記憶する（ステップＳ２０３、Ｓ２０４）。
【００４９】
上述のＳ２０１〜Ｓ２０４の処理を繰り返すことで、複数の視聴制限ブロックが設定される。
【００５０】
視聴制限ブロックの設定が終了後には、表示部１０４に図７（ａ）に示すような画面が表示され、ユーザ＜Ａ＞が入力部１０１に、表示されている特定の視聴制限ブロックの選択指示を入力すると、再生制御部１１４は、選択された視聴制限ブロックの開始点から終了点までの再生を行なう（Ｓ２０５、Ｓ２０６）。
【００５１】
ユーザ＜Ａ＞が、選択された視聴制限ブロックについて、図７（ｂ）に示すような、視聴制限するユーザと制限を課した再生方法とを入力すると、視聴制限設定部１１２は、その入力に基づいて、視聴制限情報を作成し、視聴制限情報記憶部１１７に記憶する（ステップＳ２０７）。
【００５２】
ユーザ＜Ａ＞による視聴制限設定の終了後に、視聴制限設定部１１２は、ユーザ＜Ａ＞〜＜Ｄ＞に課されているすべての視聴制限を組合わせてユーザ＜Ｅ＞に対する視聴制限情報を作成し、視聴制限情報記憶部１１７に記憶する（ステップＳ２０８、Ｓ２０９）
以上の結果、図７（ｃ）のような視聴制限が設定され、これに基づいて、図４（ａ）に示す視聴制限情報が記憶される。
【００５３】
（再生動作）
図８は、再生処理の動作手順を示すフロチャートである。
【００５４】
再生制御部１１４は、視聴制限情報記憶部１１７から、ユーザ判別部１１０によって判別されたユーザに設定されている視聴制限情報を読み出す（ステップＳ４０１）。
【００５５】
再生制御部１１４は、まず、デコード部１０５に通常の再生を行なわせる。つまり、映像デコード部１１８に映像データをデコードさせ、音声デコード部１１９に音声データをデコードさせる（ステップＳ４０２）。
【００５６】
再生制御部１１４は、読み出した視聴制限情報に基づき、再生フレームが視聴制限ブロックの開始点に達したら（ステップＳ４０３）、その視聴制限ブロックに設定されている制限を課した再生方法に応じた再生を行なわせる。
【００５７】
つまり、再生制御部１１４は、再生方法が音声ミュートの場合には、音声デコード部１１９に音声データのデコードを中止させて、音声ミュートを行なう（ステップＳ４０４、Ｓ４０５）。
【００５８】
また、再生制御部１１４は、再生方法が副映像表示の場合には、映像デコード部１１８に映像データのデコードを中止させ、副映像デコード部１２０に、副映像データをデコードさせて、表示部１０４に、副映像を表示させる（ステップＳ４０７、Ｓ４０８）。
【００５９】
また、再生制御部１１４は、再生方法が静止画表示の場合には、映像デコード部１１８に映像データのデコードを中止させて、表示部１０４に、視聴制限ブロックの直前の静止画（ピクチャ）のままを表示させておく（ステップＳ４１０、Ｓ４１１）。また、図示しないが、再生方法が静止画表示＆音声ミュートであれば、これらを同時に行ない、再生方法が副映像表示＆音声ミュートであれば、これらを同時に行なう。
【００６０】
再生制御部１１４は、再生フレームが視聴制限ブロックの終了点に達したら、デコード部１０５に通常の再生を行なわせる（ステップＳ４０６、Ｓ４０９、Ｓ４１２、Ｓ４０２）。
【００６１】
再生制御部１１４は、再生区間の終了点に達した場合や、再生中止の指示が入力された場合には（ステップＳ４１３）、再生を終了させる。
【００６２】
（視聴制限解除処理の動作）
図９は、視聴制限解除処理の動作手順を示すフロチャートである。
【００６３】
まず、ユーザ＜Ａ＞が入力部１０１に、タイトル単位で視聴制限の解除を行なうか、ブロック単位で視聴解除を行なうかの選択指示を入力する（ステップＳ３０１）。
【００６４】
タイトル単位の解除が選択された場合には、視聴制限解除部１１３は、図１０に示すような画面を表示部１０４に表示させ、ユーザ＜Ａ＞は、入力部１０１に、視聴制限を解除するタイトルとユーザとのセットを選択する指示を入力する（ステップＳ３０２）。
【００６５】
視聴制限解除部１１３は、選択されたタイトルに属するすべてのブロックについて、選択されたユーザに課されている視聴制限が解除されるように視聴制限情報を修正する（ステップＳ３０３）。
【００６６】
一方、ブロック単位の解除が選択された場合には、視聴制限解除部１１３は、図７（ｃ）に示すような画面を表示部１０４に表示させ、ユーザ＜Ａ＞は、入力部１０１に、視聴制限を解除するブロックとユーザのセットとを選択する指示を入力する（ステップＳ３０４）。
【００６７】
視聴制限解除部１１３は、選択されたブロックについて、選択されたユーザに課されている視聴制限が解除されるように視聴制限情報を修正する（ステップＳ３０５）。
【００６８】
次に、視聴制限解除部１１３は、ユーザ＜Ａ＞〜＜Ｄ＞について修正された新たな視聴制限情報に基づき、ユーザ＜Ｅ＞についての視聴制限情報を修正する（ステップＳ３０６）。
【００６９】
以上のように、本実施の形態に係わるるＤＶＤ再生装置によれば、セルの単位で視聴制限ブロックを設定するので、必要最低限の部分だけに視聴制限を課すことができる。
【００７０】
また、特定のユーザ＜Ａ＞の判断により、視聴制限ブロックごとに視聴制限を課すユーザを設定するので、ユーザに設定されたレベルで画一的に視聴制限の設定を行なうよりも、柔軟な設定が可能である。
【００７１】
また、視聴制限ブロックに対して、音声ミュートするのか、直前の静止画（ピクチャ）を表示するのか、副映像を再生するのか、またはこれらを組合わせて適用するのかといった状況に応じた柔軟な設定ができるので、視聴制限によってユーザによるストーリの内容理解が損なわれるのを回避することができる。
【００７２】
さらに、パスワードが入力されない場合や、パスワードが登録されていない場合には、登録されているすべてのユーザに設定されているすべての視聴制限を適用するので、複数人で視聴する場合に全員に設定されているすべての視聴制限を課すことにより、複数人で視聴する場合でも、視聴制限したい内容は、確実に視聴制限することができる。
【００７３】
また、視聴制限の解除時には、タイトルを選択することにより、そのタイトルに属するすべての視聴制限ブロックに設定されている視聴制限が解除されるので、視聴制限の解除の操作を容易にすることができる。
【００７４】
（変形例）
本発明は、上記実施の形態に限定されるものではなく、以下の変形例も当然ながら包含する。
（１）本実施の形態では、記憶部１０３は、ハードディスクとして説明したが、フラシュメモリなどのカード式のものであってもよい。
（２）複数人で視聴する場合において、たとえば、ＡとＢで視聴する場合には、Ａ〜Ｄに課されているすべての視聴制限を適用するのではなく、ＡとＢに課されているすべての視聴制限だけを適用するものとしてもよい。
（３）視聴制限と視聴制限解除の設定が可能なのは、ユーザ＜Ａ＞のみとしたが、複数人であってもよく、すべてのユーザであってもよい。
（４）本発明は、ＤＶＤの再生装置に限定するものではなく、データの再生単位が連続して構成される映像または音声データを記憶するその他の記録メディアの再生装置であってもよい。
【００７５】
【発明の効果】
この発明に係わるデジタルバーサタイルディスク再生装置および記録媒体再生装置によれば、データの再生単位であるセルを少なくとも１つ含んだ視聴制限ブロックが設定されるので、タイトルやチャプターの単位ではなく、わいせつなシーンや暴力的なシーンなど必要最低限の部分だけに視聴制限を課すことができる。
【００７６】
また、ユーザ操作により、視聴制限ブロックごとに視聴制限を課すユーザを設定するので、ユーザにレベルを設定し、レベルに基づいて画一的に視聴制限の設定を行なうよりも、柔軟な設定が可能である。
【００７７】
ところで、チャプターやタイトル単位で視聴制限する場合には、映像と音声の両方を再生禁止しても問題とはならないが、わいせつなシーンや暴力的なシーンのような特定のシーンだけを含む視聴制限ブロックでは、映像のみまたは音声のみを視聴制限すれば十分な場合が多い。本発明に係わるデジタルバーサタイルディスク再生装置によれば、視聴制限ブロックに対して、映像データのみを視聴制限するか、音声データのみを視聴制限するか、映像データと音声データの両方を視聴制限するかのいずれかの視聴制限内容を設定するので、視聴制限によってユーザによるストーリの内容理解が損なわれるのを可能な限り回避することができる。
【００７８】
また、識別情報が入力されない場合または入力したユーザが前記ユーザ登録情報に登録されていない場合には、登録されているすべてのユーザに設定されているすべての視聴制限を適用するので、複数人で視聴する場合に全員に設定されているすべての視聴制限を課すことにより、複数人で視聴する場合でも、視聴制限したい内容を、確実に視聴制限することができる。
【００７９】
また、１のユーザに対する１のタイトルの視聴制限解除の指定がなされた場合に、当該ユーザに対する当該タイトルに属するすべての視聴制限ブロックに設定されている視聴制限情報を消去するので、視聴制限ブロックの単位で解除するよりも、より容易な操作で視聴制限を解除することができる。
【図面の簡単な説明】
【図１】本発明の実施の形態に係わるＤＶＤ再生装置の構成を示す機能ブロック図である。
【図２】ＤＶＤのナビゲーションデータフォーマットを示す模式図である。
【図３】視聴制限ブロックを特定する情報の例を示す図である。
【図４】（ａ）は、視聴制限情報の例を示し、（ｂ）は、再生方法ＩＤに対する再生方法を示す図である。
【図５】ＤＶＤ再生装置の動作手順を示すフロチャートである。
【図６】視聴制限設定処理の動作手順を示すフロチャートである。
【図７】表示部１０４に表示される画面の例を示す図である。
【図８】再生処理の動作手順を示すフロチャートである。
【図９】視聴制限解除処理の動作手順を示すフロチャートである。
【図１０】表示部１０４に表示される画面の例を示す図である。
【符号の説明】
１００　ＤＶＤ再生装置、１０１　入力部、１０２制御部、１０３　記憶部、１０４　表示部、１０５　デコード部、１０６　ディスクドライブ、１０７　ＤＶＤ、１１０　ユーザ判定部、１１１　視聴制限ブロック設定部、１１２　視聴制限設定部、１１３　視聴制限解除部、１１４　再生制御部、１１５　パスワード情報記憶部、１１６　視聴制限ブロック記憶部、１１７　視聴制限情報記憶部、１１８　映像デコード部、１１９　音声デコード部、１２０　副映像デコード部。
【図１】
2004032612.tif 000003
【図２】
2004032612.tif 000004
【図３】
2004032612.tif 000005
【図４】
2004032612.tif 000006
【図５】
2004032612.tif 000007
【図６】
2004032612.tif 000008
【図７】
2004032612.tif 000009
【図８】
2004032612.tif 000010
【図９】
2004032612.tif 000011
【図１０】
2004032612.tif 000012